(57)【要約】【課題】電磁リレーのカードの抜け止め対策を行う。【解決手段】電磁石ブロック５によって駆動される接極子によってスライド変位させられるカード８に可動接点端子２２，３２が係合することで該可動接点端子２２，３２が湾曲変形させられて固定接点端子２１，３１と接触または離反することで接点状態を切換えるようにした電磁リレー１において、前記接極子が、軽量化のために電磁石ブロック５によって駆動される可動板およびそれに磁力を与える永久磁石と、樹脂成型品から成り、前記可動板が一体に取付けられるサブカード６１とを備えて構成される場合、サブカード６１から延設した板状の舌片６５をカード８の係合孔８１に係合させて前記スライド変位を実現するにあたって、舌片６５を係合孔８１に遊挿させた後、その先端部６５０に、該先端部６５０を溶融させることで係合孔８１を跨ぐように係止爪６５１，６５２を形成する。【選択図】図２
2010198960.tif 000002
【特許請求の範囲】
【請求項１】
電磁石によって接極子が揺動変位され、その揺動変位を前記接極子に係合するカードによって該カードのスライド変位に変換し、そのカードに係合している可動接点が固定接点と接触または離反することで接点状態を切換えるようにした電磁リレーにおいて、
前記接極子は、前記電磁石によって駆動される可動板およびそれに磁力を与える永久磁石と、樹脂成型品から成り、前記可動板が一体に取付けられるサブカードとを備えて構成され、前記サブカードからは前記カードに係合し、前記カードのスライド方向を厚み方向とする板状の舌片が形成され、
前記カードは、樹脂成型品から成り、前記舌片が嵌り込む係合孔が形成され、
前記舌片の先端部には、前記係合孔を跨ぐように、該先端部の溶融によって形成される係止爪を有することを特徴とする電磁リレー。
【請求項２】
前記カードには、前記接極子と可動接点との間に、さらに復帰ばねが係合していることを特徴とする請求項１記載の電磁リレー。
【請求項３】
前記接点は、前記カードのスライド方向に１組設けられていることを特徴とする請求項１または２記載の電磁リレー。
【請求項４】
前記請求項１〜３のいずれか１項に記載の電磁リレーを用いることを特徴とする制御装置。
【発明の詳細な説明】
【技術分野】
【０００１】
本発明は、電磁リレーおよびそれを用いる制御装置に関し、特に前記電磁リレーは、接極子の動きをカードを介して可動接点へ伝えるようにしたものに関する。
【背景技術】
【０００２】
上述のような電磁リレーは、たとえば特許文献１で示される。その従来技術によれば、図７および図８で示すように、電磁石１０１によって接極子１０２が揺動変位され、その揺動変位を前記接極子１０２の一端に係合するカード１０３によって該カード１０３のスライド変位に変換し、そのカード１０３の他端に係合している可動接点１０４が固定接点１０５と接触または離反することで接点状態を切換えるようになっている。
【０００３】
そして、落下時などの衝撃に備えて、可動接点１０４の先端に一対の孔１０４ａが形成され、これに対応してカード１０３の枠の内方には、前記孔１０４ａに嵌り込む突起１０３ａが形成されるとともに、前記可動接点１０４の先端部の振れを抑えるための係止片１０３ｂが設けられており、簡単な嵌め込みで可動接点１０４へのカード１０３の組付けが可能になるとともに、前記衝撃に対するカード１０３の他端側の抜け止めも行われている。これに対して、カード１０３の一方端側では、前記接極子１０２の先端側に形成された一対の切り欠き１０２ａに、カード１０３の枠の内方に形成された突起１０３ｃが嵌り込むことで、接極子１０２へのカード１０３の組付けが可能になるとともに、前記衝撃に対するカード１０３の該一方端側の抜け止めも行われている。
【先行技術文献】
【特許文献】
【０００４】
【特許文献１】特開２００５−２９４１６２号公報
【発明の概要】
【発明が解決しようとする課題】
【０００５】
上述の従来技術では、接極子１０２は、鉄片であり、樹脂成形品であるカード１０３の突起１０３ｃを接極子１０２の切り欠き１０２ａに嵌め込むことができる。しかしながら、カード１０３を駆動する接極子１０２が重くなると、電磁石１０１も大型化するという問題がある。そこで、接極子１０２のヨーク１０６に吸引される部分を鉄片として、残りを樹脂成形品とすることが考えられる。しかしながら、その場合、組付けの際に、樹脂成形品同士で、カード１０３または接極子１０２にひびが入ったり、突起１０３ｃ或いは切り欠き１０２ａを形成する凸部１０２ｂが削れ、ダストが発生するという問題がある。
【０００６】
本発明の目的は、接極子の動きをカードを介して可動接点へ伝えるようにした電磁リレーにおいて、接極子とカードとの係合部分を樹脂成型品で形成しても、それによる不具合の発生を未然に防止することができる電磁リレーおよびそれを用いる制御装置を提供することである。
【課題を解決するための手段】
【０００７】
本発明の電磁リレーは、電磁石によって接極子が揺動変位され、その揺動変位を前記接極子に係合するカードによって該カードのスライド変位に変換し、そのカードに係合している可動接点が固定接点と接触または離反することで接点状態を切換えるようにした電磁リレーにおいて、前記接極子は、前記電磁石によって駆動される可動板およびそれに磁力を与える永久磁石と、樹脂成型品から成り、前記可動板が一体に取付けられるサブカードとを備えて構成され、前記サブカードからは前記カードに係合し、前記カードのスライド方向を厚み方向とする板状の舌片が形成され、前記カードは、樹脂成型品から成り、前記舌片が嵌り込む係合孔が形成され、前記舌片の先端部には、前記係合孔を跨ぐように、該先端部の溶融によって形成される係止爪を有することを特徴とする。
【０００８】
上記の構成によれば、電磁石によって駆動される接極子によってスライド変位させられるカードに可動接点が係合することで該可動接点が湾曲変形させられて固定接点と接触または離反することで接点状態を切換えるようにした電磁リレーにおいて、前記接極子が、軽量化のために前記電磁石によって駆動される可動板およびそれに磁力を与える永久磁石と、樹脂成型品から成り、前記可動板が一体に取付けられるサブカードとを備えて構成される場合、前記サブカードから延設した板状の舌片を前記カードの係合孔に係合させて前記スライド変位を実現するにあたって、前記舌片を係合孔に遊挿させた後、その先端部に、該先端部を溶融させることで前記係合孔を跨ぐように係止爪を形成する。すなわち、前記舌片の先端部をハンマーヘッド状の断面に形成する。
【０００９】
したがって、軽量化のために、接極子全体が金属で形成されず、カードとの係合部分を樹脂成型品で形成しても、舌片の先端部の溶融で抜け止めを行うので、ひび割れやダストの発生などの樹脂成型品同士の係合による不具合の発生を未然に防止することができる。また抜け止めにあたって、係止片を接着剤で接着する場合に生じるような周辺の不所望な箇所との接着の虞もなく、容易にかつ高い信頼性で抜け止め対策を行うことができる。
【００１０】
また、本発明の電磁リレーは、前記カードには、前記接極子と可動接点との間に、さらに復帰ばねが係合していることを特徴とする。
【００１１】
上記の構成によれば、復帰ばねがあると、その復帰ばねのバイアス方向とは反対方向にカードが変位する際に、カードに押し上げの力が働き、前記舌片が係合孔から外れやすくなるので、特に好適である。
【００１２】
さらにまた、本発明の電磁リレーでは、前記接点は、前記カードのスライド方向に１組設けられていることを特徴とする。
【００１３】
上記の構成によれば、可動接点は、板ばねなどの弾発性を有する材料から成り、カードの抜け止め対策が容易である。
【００１４】
したがって、たとえば３ａ１ｂや２ａ２ｂ、５ａ１ｂなどのように、カードのスライド方向に複数組の接点が設けられている場合、それら複数の可動接点でカードの抜け止めが行われ、舌片からも脱落し難くなるものの、たとえば１ａや１ａ１ｂ等、カードのスライド方向の接点数が１組である場合、その可動接点による抜け止め効果が小さく、前記のような舌片の先端部の係止爪による抜け止め対策が特に効果的である。
【００１５】
さらにまた、本発明の制御装置は、軽量の接極子を使用しても衝撃等に対する信頼性の高い前記の電磁リレーを用いることを特徴とする。
【００１６】
上記の構成によれば、該制御装置を軽量化することができ、特に前記電磁リレーを多数必要とする安全リレーとして用いる場合に好適である。
【発明の効果】
【００１７】
本発明の電磁リレーは、以上のように、電磁石によって駆動される接極子によってスライド変位させられるカードに可動接点が係合することで該可動接点が湾曲変形させられて固定接点と接触または離反することで接点状態を切換えるようにした電磁リレーにおいて、前記接極子が、軽量化のために前記電磁石によって駆動される可動板およびそれに磁力を与える永久磁石と、樹脂成型品から成り、前記可動板が一体に取付けられるサブカードとを備えて構成される場合、前記サブカードから延設した板状の舌片を前記カードの係合孔に係合させて前記スライド変位を実現するにあたって、前記舌片を係合孔に遊挿させた後、その先端部に、該先端部を溶融させることで前記係合孔を跨ぐように係止爪を形成する。
【００１８】
それゆえ、軽量化のために、接極子全体が金属で形成されず、カードとの係合部分を樹脂成型品で形成しても、舌片の先端部の溶融で抜け止めを行うので、ひび割れやダストの発生などの樹脂成型品同士の係合による不具合の発生を未然に防止することができる。また抜け止めにあたって、係止片を接着剤で接着する場合に生じるような周辺の不所望な箇所との接着の虞もなく、容易にかつ高い信頼性で抜け止め対策を行うことができる。
【００１９】
また、本発明の制御装置は、以上のように、前記の電磁リレーを用いる。
【００２０】
それゆえ、該制御装置を軽量化することができ、特に前記電磁リレーを多数必要とする安全リレーとして用いる場合に好適である。
【図面の簡単な説明】
【００２１】
【図１】本発明の実施の一形態に係る電磁リレーの分解斜視図である。
【図２】図１の組立て状態を示す斜視図である。
【図３】図２の平面図である。
【図４】前記電磁リレーの動作を説明するための縦断面図である。
【図５】図３における舌片および係合孔付近を拡大して示す図である。
【図６】前記図３の切断面線ＶＩ−ＶＩから見た断面図である。
【図７】典型的な従来技術のリレーの分解斜視図である。
【図８】典型的な従来技術のリレーの斜視図である。
【発明を実施するための形態】
【００２２】
以下、本発明を添付の図面を参照しながら詳細に説明する。なお、以下の説明において、上下方向は、図１を基準として述べる。図１は本発明の実施の一形態に係る電磁リレー１の分解斜視図であり、図２はその組立て状態を示す斜視図であり、図３は図２の平面図である。この電磁リレー１は、ａ（常開：ＮＯ）接点２と、ｂ（常閉：ＮＣ）接点３とを１つずつ備えた最少限の接点構成の安全リレーである。以下、便宜上、前記接点２，３の配列方向を左右方向とする。この電磁リレー１は、大略的に、ボディ４と、電磁石ブロック５と、接極子ブロック６と、復帰ばね７と、カード８と、カバー９と、前記接点２，３とを備えて構成される。
【００２３】
前記ボディ４は、絶縁性および難燃性を有するＰＢＴ等の成形品などから成り、一端に電磁石ブロック５を搭載する長手状のベース４１と、前記ベース４１の略中央部に立設される一対の側壁４２，４３と、前記側壁４２，４３の電磁石ブロック５側を連結して補強する連結部材４４と、前記側壁４２，４３の接点２，３側を連結する絶縁隔壁４５と、前記絶縁隔壁４５の中央部から延設され、前記接点２，３を区画する絶縁隔壁４６と、前記ベース４１の他端側で前記接点２，３を保持する端子台４７とを備えて構成される。そして、前記側壁４２，４３および絶縁隔壁４５で区画された領域内に、前記接極子ブロック６および復帰ばね７が収容され、端子台４７に各接点２，３の端子２１，２２；３１，３２が植設され、絶縁隔壁４５上をカード８がスライド変位する。
【００２４】
図４は、この電磁リレー１の縦断面図である。なお、前記カバー９は省略している。この図４によれば、前記電磁石ブロック５および接極子ブロック６の構造が明らかである。それによれば、該電磁石ブロック５は、コイル５１と、そのコイル５１を巻回したスプール５２と、スプール５２の中心孔に挿入されるとともに、略Ｌ字形のヨーク５４，５５を有する鉄心５３と、前記スプール５２の下方側のフランジ部５２ａに立設される一対のコイル端子５６とを備えて構成される。前記各コイル端子５６の上部側には、前記コイル５１の各端部が接続され、下部側は前記ベース４１に圧入されて端子として外部へ突出している。
【００２５】
前記接極子ブロック６は、全体を軟鉄などで形成するのではなく、軽量化のために、樹脂成形品のサブカード６１と、軟鉄などから成る可動板６２と、直方体形状の永久磁石６３とを備えて構成される。可動板６２は、矩形平板状に形成され、サブカード６１に接着される。永久磁石６３は、可動板６２の表面に固定される。図１および図２で示すように、サブカード６１の左右両側面には一対のピン６４が立設され、このピン６４がベース４１の側壁４２，４３に形成された孔４８にそれぞれ嵌まり込むことで、該接極子ブロック６は、矢符６９およびその逆方向に揺動変位自在に保持される。この接極子ブロック６がベース４１に装着されると、可動板６２の上端部が電磁石ブロック５の上側のヨーク５４と対向し、下端部が電磁石ブロック５の下側のヨーク５５と対向する。前記サブカード６１の上端部からは、舌片６５が延設されており、この舌片６５がカード８に形成された係合孔８１に係合することで、前記カード８の矢符８２およびその逆方向への変位駆動が可能になる。
【００２６】
復帰ばね７は、弾性を有する薄肉の金属板の打ち抜きおよび曲折によって図１で示すように略Ｙ字形に形成されて成り、折畳み（重ね合わせ）によって剛性が高められた下端部７１が、図４で示すように接極子ブロック６と絶縁隔壁４５との間でベース４１に圧入され、二股の上端部７３，７４の先端部７５，７６が、カード８の復帰ばね孔８３，８４に挿入されることで、カード８は前記矢符８２とは反対方向に、しかも矢符８５およびその反対方向で示すヨー方向の回転が発生しないように、弾発的に付勢される。
【００２７】
前記接点２，３は、対を成す固定接点端子２１，３１と、可動接点端子２２，３２とを備えて構成される。これらの端子２１，２２；３１，３２は、弾性を有する薄肉の金属板を打ち抜き、大略的に側面視でクランク状に曲折されて成り、その曲折部分２１ａ，２２ａ；３１ａ，３２ａの内、可動接点端子２２，３２側は、剛性を高めるために、前記金属板を折り重ねて２重に形成されている。
【００２８】
そして、前記ベース４１の他端側において、両側部に形成された取付け溝４９に前記曲折部分２１ａ，２２ａ；３１ａ，３２ａが圧入され、さらに接着剤で固定されることで、該端子２１，２２；３１，３２の前記ヨー方向８５での回転が抑えられ、相互に平行に対向するように植設される。これらの端子２１，２２；３１，３２の下端部２１ｂ，２２ｂ；３１ｂ，３２ｂは前記ベース４１から突出することでリレー端子となり、弾発性を有する上腕部２１ｃ，２２ｃ；３１ｃ，３２ｃの先端付近には、接点部材２１ｄ，２２ｄ；３１ｄ，３２ｄがかしめ固定されている。
【００２９】
前記固定接点端子２１，３１には、剛性を持たせるために、前記上腕部２１ｃ，２２ｃにおいて、接点部材２１ｄ，３１ｄの下方部分にはリブ２１ｅ，３１ｅが形成されており、可動接点端子２２，３２の押圧による撓みを、ベース４１側の基端部分で発生させることで、これらの接点部材２１ｄ，２２ｄ；３１ｄ，３２ｄが略平行に接触するように構成されている。一方、前記可動接点端子２２，３２の上腕部２２ｃ，３２ｃにおいて、ベース４１側の部分には、スリット２２ｅ，３２ｅが形成され、撓み易くなっている。このスリット２２ｅ，３２ｅは、特に設けられなくてもよい。そして、前記絶縁隔壁４６で区画された接点２，３の収納空間において、接触している接点部材２１ｄ，２２ｄ；３１ｄ，３２ｄの開放（離反）を補助するとともに、溶着時に接点ギャップを０．５ｍｍ以上確保できるように、また復帰ばね７が折れた際の短絡防止のために、端子２１，２２；３１，３２間には、切離し用の絶縁隔壁４０がベース４１から立設されている。
【００３０】
そして、前記コイル５１の非通電時には、前記カード８は、復帰ばね７の弾発力によって、電磁石ブロック５側、すなわち矢符８２とは反対方向に変位されており、通電によって矢符８２方向に変位し、そのスライド方向と直交する一線上に、固定接点端子２１と可動接点端子３２とが、また可動接点端子２２と固定接点端子３１とが、それぞれ配設される。加えて、ｂ（常閉：ＮＣ）接点３側では、固定接点端子３１が内方に、可動接点端子３２が外方に配置され、反対にａ（常開：ＮＯ）接点２側では、可動接点端子２２が内方に、固定接点端子２１が外方に配置され、前記可動接点端子２２，３２の上腕部２２ｃ，３２ｃの先端部は、前記カード８の係止孔８６，８７に係止する舌片２２ｆ，３２ｆとなっている。
【００３１】
前記カード８は、大略的に、Ｕ字状に形成される樹脂成型品から成り、上述のサブカード６１への係合孔８１および左右一対の復帰ばね孔８３，８４がそのＵ字の連結部８０に、左右一対の前記係止孔８６，８７がＵ字の腕部８８，８９側に形成される。このカード８は、上述のように、サブカード６１の舌片６５、復帰ばね７の先端部７５，７６および可動接点端子２２，３２の舌片２２ｆ，３２ｆによって搭載支持される。そして、前記腕部８８，８９の基端側の裏面に接触しないように前記絶縁隔壁４５の上端面４５ａの高さが、該腕部８８，８９の内側対向面８８ｃ，８９ｃから形成された垂下片８８ａ，８９ａの下端面８８ｂ、８９ｂに接触しないように前記絶縁隔壁４６の上端側に形成された段差面４６ａの高さが、それぞれ設定されている。
【００３２】
また、前記スライド変位の案内としては、以下の２点が行われている。先ず、前記垂下片８８ａ，８９ａ間に前記絶縁隔壁４６の上端部４６ｂを挟み込むとともに、前記腕部８８，８９の内側対向面８８ｃ，８９ｃ間に前記カバー９の天板９１から垂下して形成されたガイド９１ａが挟み込まれる。次に、前記ガイド９１ａの下端面９１ｂが、前記腕部８８，８９の内側対向面８８ｃ，８９ｃに垂下片８８ａ，８９ａを形成することで生じた段部８８ｄ，８９ｄに嵌り込む。
【００３３】
前記カバー９は、前記接点部材２１ｄ，２２ｄ；３１ｄ，３２ｄの開閉状態を確認可能なように、透明なポリカーボネートなどの樹脂成形品から成り、底面を開放した箱状に形成され、図２で示すようなボディ４上に各部品が組上がった状態で上方から被せられ、下端の内周面がベース４１と接着される。
【００３４】
上述のように構成される電磁リレー１において、コイル５１の非通電状態では、図２、図３および図４（ａ）で示すように、カード８を介する復帰ばね７の弾発力によって、接極子ブロック６は矢符６９方向にバイアスされ、これによってカード８は、矢符８２方向とは反対方向、すなわち電磁石ブロック５側にスライド変位しており、該カード８によって引っ掛けられている可動接点端子２２，３２も前記矢符８２方向とは反対方向、すなわち電磁石ブロック５側に湾曲変形させられる。これによって、ｂ（ＮＣ）接点３側が導通し、ａ（ＮＯ）接点２側が遮断している。
【００３５】
これに対して、コイル５１の通電状態では、図４（ｂ）で示すように、カード８を介する復帰ばね７の弾発力に抗して、接極子ブロック６は矢符６９方向とは反対方向に揺動し、カード８は矢符８２方向、すなわち電磁石ブロック５とは反対側にスライド変位しており、該カード８によって引っ掛けられている可動接点端子２２，３２も前記矢符８２方向、すなわち電磁石ブロック５とは反対側に湾曲変形させられる。これによって、ｂ（ＮＣ）接点３側が遮断し、ａ（ＮＯ）接点２側が導通する。
【００３６】
注目すべきは、本実施の形態の電磁リレー１では、上述のように軽量化のために前記接極子ブロック６に、永久磁石６３および可動板６２を搭載し、樹脂成型品から成サブカード６１を用いる場合に、前記サブカード６１から延設した板状の舌片６５を前記カード８の係合孔８１に係合させて前記スライド変位を実現するにあたって、前記舌片６５を係合孔８１に遊挿させた後、図２および図３ならびに図５および図６で示すように、その先端部６５０に、該先端部６５０を溶融させることで前記係合孔を跨ぐように係止爪６５１，６５２を形成することである。すなわち、図６で示すように、前記舌片６５の先端部６５０をハンマーヘッド状の断面に形成する。図５は前記図３における前記舌片６５および係合孔８１付近を拡大して示す図であり、図６は前記図３の切断面線ＶＩ−ＶＩから見た断面図である。
【００３７】
一方、これに対応して、図３において、カード８の中心線８ｘに対称に、斜線を施して示すように、前記係合孔８１の隅角部付近に、前記舌片６５に対して、その厚み方向に当接する突起８１ａ，８１ｂ；８１ｃ，８１ｄが形成されている。この突起８１ａ，８１ｂ；８１ｃ，８１ｄの裏面は、前記舌片６５の揺動を許容する傾斜面８１ｅに形成されている。
【００３８】
このように構成することで、前述のように軽量化のために接極子ブロック６全体が金属で形成されず、カード８との係合部分を樹脂成型品の舌片６５で形成しても、同様に樹脂成型品から成る該舌片６５の先端部６５０の溶融部分が係止爪６５１，６５２となって、その爪部６５１ａ，６５１ｂ；６５２ａ，６５２ｂがそれぞれ前記係合孔８１内に形成された突起８１ａ，８１ｂ；８１ｃ，８１ｄに係止して抜け止めを行うので、ひび割れやダストの発生などの樹脂成型品同士の係合による不具合の発生を未然に防止することができる。また抜け止めにあたって、係止片を接着剤で接着する場合に生じるような周辺の不所望な箇所との接着の虞もなく、前記係止爪６５１，６５２は、半田コテなどで容易かつ高い信頼性で形成することができる。
【００３９】
なお、板ばね状の前記可動接点端子２２，３２は、前記カード８の係止孔８６，８７に嵌り込む舌片２２ｆ，３２ｆが、図３で示すようにその先端が折り曲げられたり、前記係止孔８６，８７に突起８６ａ，８６ｂ，８６ｃ；８７ａ，８７ｂ，８７ｃが形成されたりすることで抜け止めが行われており、たとえば３ａ１ｂや５ａ１ｂなどのように、カード８のスライド方向８２に複数組の接点が設けられている場合、それら複数の可動接点での抜け止めによって、舌片６５から脱落し難くなる。しかしながら、本実施の形態の１ａ１ｂのように、カード８のスライド方向８２の接点数が１組である場合、その可動接点端子２２，３２による抜け止め効果が小さく、前記のような舌片６５の先端部６５０の係止爪６５１，６５２による抜け止め対策が特に効果的である。
【００４０】
また、本実施の形態のように、前記カード８には、前記接極子ブロック６と可動接点端子２２，３２との間に、さらに復帰ばね７が設けられていると、その復帰ばね７のバイアス方向とは反対方向、すなわち前記矢符８２とは反対方向にカード８が変位する際に、カード８に押し上げの力が働き、前記舌片６５が係合孔８１から外れ易くなるので、特に好適である。
【００４１】
このような電磁リレー１を工作機械やラインなどを制御する制御装置に用いることで、該制御装置を軽量化することができ、特に前記電磁リレー１を多数必要とする安全リレーとして用いる場合に好適である。
【符号の説明】
【００４２】
１    電磁リレー
２    ａ（常開：ＮＯ）接点
３    ｂ（常閉：ＮＣ）接点
２１，３１    固定接点端子
２２，３２    可動接点端子
２１ｃ，２２ｃ；３１ｃ，３２ｃ    上腕部
２１ｄ，２２ｄ；３１ｄ，３２ｄ    接点部材
２１ｅ，３１ｅ    リブ
２２ｅ，３２ｅ    スリット
４    ボディ
４０，４５，４６    絶縁隔壁
４１    ベース
４７    端子台
５    電磁石ブロック
５１    コイル
５２    スプール
５３    鉄心
５４，５５    ヨーク
６    接極子ブロック
６１    サブカード
６２    可動板
６３    永久磁石
６５    舌片
６５０  先端部
６５１，６５２    係止爪
６５１ａ，６５１ｂ；６５２ａ，６５２ｂ    爪部
７    復帰ばね
８    カード
８０    連結部
８１    係合孔
８１ａ，８１ｂ；８１ｃ，８１ｄ    突起
８１ｅ  傾斜面
８３，８４    復帰ばね孔
８６，８７    係止孔
８８，８９    腕部
８８ａ，８９ａ    垂下片
９    カバー
９１    天板
９１ａ  ガイド
【図１】
2010198960.tif 000003
【図２】
2010198960.tif 000004
【図３】
2010198960.tif 000005
【図４】
2010198960.tif 000006
【図５】
2010198960.tif 000007
【図６】
2010198960.tif 000008
【図７】
2010198960.tif 000009
【図８】
2010198960.tif 000010